(57)【要約】【課題】決済処理会社及び支援者が政治献金に対して抱く抵抗感を低減させることができ、政治活動の資金調達を効果的に実施することができる決済処理システムを提供する。【解決手段】通信網Ｎに接続された複数の支援者通信装置２と、政治献金の決済処理を行う決済処理装置３と、政治に関連する政治関連サービスを提供すると共に、政治献金に係る処理を実行する会費処理装置１とを備えた決済処理システムにおいて、支援者通信装置２に、資金管理団体６に入会するための入会情報を送信する送信手段を備え、更に会費処理装置１に、支援者通信装置２から送信された入会情報を受信する受信手段と、受信手段が入会情報を受信した場合、政治献金及び政治関連サービスの対価を含む料金の決済を決済処理装置３に依頼する決済依頼手段と、資金管理団体６に入会した支援者の支援者通信装置２へ、政治関連サービスを提供する手段とを備える。【選択図】図１
2010218582.tif 000002
【特許請求の範囲】
【請求項１】
資金管理団体の会費の徴収に用いられる複数の支援者通信装置と、前記会費の決済処理を行う決済処理装置と、通信網を介して該支援者通信装置及び決済処理装置に接続され、政治に関連する政治関連サービスを提供すると共に、前記会費に係る処理を実行する会費処理装置とを備えた決済処理システムであって、
前記支援者通信装置は、
資金管理団体に入会するための入会情報を送信する送信手段を備え、
前記会費処理装置は、
前記支援者通信装置から送信された入会情報を受信する受信手段と、
該受信手段が入会情報を受信した場合、前記会費及び政治関連サービスの対価を含む料金の決済を前記決済処理装置に依頼する決済依頼手段と、
資金管理団体に入会した支援者の支援者通信装置へ、政治関連サービスを提供する手段と
を備えることを特徴とする決済処理システム。
【請求項２】
前記入会情報は、
料金が異なる複数の政治関連サービスのいずれか一つを示すサービス指定情報と、資金管理団体に入会する支援者の氏名を示す氏名情報とを含み、
前記会費処理装置は、
前記入会情報に含まれた前記氏名情報が示す支援者の氏名を、前記サービス指定情報に応じた態様で一覧表示するための支援者一覧情報を送信する支援者一覧情報送信手段を備える
ことを特徴とする請求項１に記載の決済処理システム。
【請求項３】
前記支援者一覧情報送信手段は、
前記サービス指定情報によって指定された政治関連サービスの料金の高／低に応じて、前記氏名を大きく／小さく一覧表示するための支援者一覧情報を送信するようにしてあり、
更に、前記入会情報に含まれた前記氏名情報が示す支援者の氏名を、非漢字表記で一覧表示するための支援者一覧情報を送信するようにしてあり、
前記会費処理装置は、
更に、前記入会情報に含まれた前記氏名情報が示す支援者の氏名を、漢字表記で一覧表示するための支援者一覧情報を、通信網に接続された後援会通信装置へ送信する手段を備える
ことを特徴とする請求項２に記載の決済処理システム。
【請求項４】
資金管理団体の会費の徴収に用いられる複数の支援者通信装置、及び前記会費の決済処理を行う決済処理装置に通信網を介して接続され、政治に関連する政治関連サービスを提供すると共に、前記会費に係る処理を実行する会費処理装置であって、
資金管理団体に入会するための入会情報を前記支援者通信装置から通信網を介して受信する受信手段と、
該受信手段が入会情報を受信した場合、前記会費及び政治関連サービスの対価を含む料金の決済を前記決済処理装置に依頼する決済依頼手段と、
資金管理団体に入会した支援者の支援者通信装置へ、政治関連サービスを提供する手段と
を備えることを特徴とする会費処理装置。
【請求項５】
資金管理団体の会費の徴収に用いられる複数の支援者通信装置、及び前記会費の決済処理を行う決済処理装置に通信網を介して接続された会費処理装置を用いて、政治に関連する政治関連サービスを提供すると共に、前記会費に係る処理を実行する会費処理方法において、
前記会費処理装置は、
資金管理団体に入会するための入会情報を前記支援者通信装置から通信網を介して受信し、
前記会費及び政治関連サービスの対価を含む料金の決済を前記決済処理装置に依頼し、
資金管理団体に入会した支援者の支援者通信装置へ、政治関連サービスを提供する
ことを特徴とする会費処理方法。
【発明の詳細な説明】
【技術分野】
【０００１】
本発明は、政治献金そのものでは無く、資金管理団体の会費及び政治関連サービスの対価を含む料金の決済を決済処理装置に依頼する決済処理システム、会費処理装置及び会費処理方法に関する。
【背景技術】
【０００２】
政治献金を個人の支援者からインターネット等の通信網を介して受け付け、受け付けた政治献金のクレジットカード決済を行う献金管理システムが提案されている（例えば、特許文献１、２）。
【０００３】
特に、特許文献１に係る献金管理システムは、通信網を介して接続された情報端末と、献金処理装置と、決済処理会社、例えばクレジットカード会社が運用しているクレジット決済処理装置とを備える。献金処理装置は、通信網を介して政治献金を受け付けるための入力フォームを情報端末に表示させ、支援者の氏名、住所、政治献金の額、クレジットカード番号、クレジットカードの名義、有効期限等を受け付ける。そして、献金処理装置は、受け付けた情報を用いて政治献金のクレジットカード決済をクレジット決済処理装置に依頼する。クレジットカード決済が完了した場合、献金処理装置は、政治献金の額に応じた受領証データを、支援者通信装置へ送信する。また、献金処理装置は、政治献金の履歴情報、例えば政治献金の額、献金者の個人情報を格納しており、情報端末からの要求に応じて政治献金の履歴情報を該情報端末へ送信するように構成されている。更に、献金処理装置は、定期的な政治献金を行うか、一時的な政治献金を行うかを受け付け、政治献金の支払い方法を選択できるように構成されている。定期的な政治献金が選択された場合、献金処理装置は、定期的に政治献金をクレジット決済処理装置へ依頼する。
【０００４】
このように構成された献金管理システムによれば、通信網を介して全国の個人の支援者から効率的に政治献金を調達することができる。また、何人も政治献金の履歴を閲覧できるように構成されているため、政治献金の透明性を維持することができる。更に、支援者によって定期的な政治献金が選択された場合、献金管理システムは、該支援者から定期的に政治献金を調達することができる。
【０００５】
特許文献２に係るシステムにおいては、政治献金済みの支援者に対して、政治への参加を支援する政治参加メニュー、例えば法制度に対するアンケートを募るアンケート参加画面、支援者の周囲で発生している問題を陳述するための陳述画面、掲示板、選挙画面、議員活動報告画面等を提供する機能が用意されている。
【先行技術文献】
【特許文献】
【０００６】
【特許文献１】特開２００４−２２７３４５号公報
【特許文献２】特開２００５−２１６０６５号公報
【発明の概要】
【発明が解決しようとする課題】
【０００７】
しかしながら、特許文献１、２に係る献金管理システムにおいては、政治献金そのものを、直接クレジット決済処理装置へ依頼する構成であるところ、クレジットカード会社は、政治献金そのものを直接取り扱うことに抵抗があるため、事実上、献金管理システムを構築することができないという問題があった。
また、政治献金に興味を持ち始めた支援者は、商品又はサービスを全く伴わない政治献金そのものをクレジットカード決済で申込むことに抵抗を覚えることがあり、政治献金を効果的に調達することができないという問題があった。
【０００８】
本発明は斯かる事情に鑑みてなされたものであり、政治関連サービスを支援者へ提供し、資金管理団体の会費及び政治関連サービスの対価を含む料金を決済するように構成することによって、決済処理会社及び支援者が政治献金に対して抱く抵抗感を低減させることができ、政治活動の資金調達を効果的に実施することができる決済処理システム、該決済処理システムを構成する会費処理装置、及び会費処理方法を提供することを目的とする。
【課題を解決するための手段】
【０００９】
本発明に係る決済処理システムは、資金管理団体の会費の徴収に用いられる複数の支援者通信装置と、前記会費の決済処理を行う決済処理装置と、通信網を介して該支援者通信装置及び決済処理装置に接続され、政治に関連する政治関連サービスを提供すると共に、前記会費に係る処理を実行する会費処理装置とを備えた決済処理システムであって、前記支援者通信装置は、資金管理団体に入会するための入会情報を送信する送信手段を備え、前記会費処理装置は、前記支援者通信装置から送信された入会情報を受信する受信手段と、該受信手段が入会情報を受信した場合、前記会費及び政治関連サービスの対価を含む料金の決済を前記決済処理装置に依頼する決済依頼手段と、資金管理団体に入会した支援者の支援者通信装置へ、政治関連サービスを提供する手段とを備えることを特徴とする。
【００１０】
本発明に係る決済処理システムは、前記入会情報は、料金が異なる複数の政治関連サービスのいずれか一つを示すサービス指定情報と、資金管理団体に入会する支援者の氏名を示す氏名情報とを含み、前記会費処理装置は、前記入会情報に含まれた前記氏名情報が示す支援者の氏名を、前記サービス指定情報に応じた態様で一覧表示するための支援者一覧情報を送信する支援者一覧情報送信手段を備えることを特徴とする。
【００１１】
本発明に係る決済処理システムは、前記支援者一覧情報送信手段は、前記サービス指定情報によって指定された政治関連サービスの料金の高／低に応じて、前記氏名を大きく／小さく一覧表示するための支援者一覧情報を送信するようにしてあり、更に、前記入会情報に含まれた前記氏名情報が示す支援者の氏名を、非漢字表記で一覧表示するための支援者一覧情報を送信するようにしてあり、前記会費処理装置は、更に、前記入会情報に含まれた前記氏名情報が示す支援者の氏名を、漢字表記で一覧表示するための支援者一覧情報を、通信網に接続された後援会通信装置へ送信する手段を備えることを特徴とする。
【００１２】
本発明に係る会費処理装置は、資金管理団体の会費の徴収に用いられる複数の支援者通信装置、及び前記会費の決済処理を行う決済処理装置に通信網を介して接続され、政治に関連する政治関連サービスを提供すると共に、前記会費に係る処理を実行する会費処理装置であって、資金管理団体に入会するための入会情報を前記支援者通信装置から通信網を介して受信する受信手段と、該受信手段が入会情報を受信した場合、前記会費及び政治関連サービスの対価を含む料金の決済を前記決済処理装置に依頼する決済依頼手段と、資金管理団体に入会した支援者の支援者通信装置へ、政治関連サービスを提供する手段とを備えることを特徴とする。
【００１３】
本発明に係る会費処理方法は、資金管理団体の会費の徴収に用いられる複数の支援者通信装置、及び前記会費の決済処理を行う決済処理装置に通信網を介して接続された会費処理装置を用いて、政治に関連する政治関連サービスを提供すると共に、前記会費に係る処理を実行する会費処理方法において、前記会費処理装置は、資金管理団体に入会するための入会情報を前記支援者通信装置から通信網を介して受信し、前記会費及び政治関連サービスの対価を含む料金の決済を前記決済処理装置に依頼し、資金管理団体に入会した支援者の支援者通信装置へ、政治関連サービスを提供することを特徴とする。
【００１４】
本発明にあっては、支援者通信装置は、資金管理団体に入会するための入会情報を送信し、会費処理装置は、支援者通信装置から送信された入会情報を受信する。そして、会費処理装置は、前記会費及び政治関連サービスの対価を含む料金の決済を決済処理装置に依頼することによって、前記会費の決済処理を行い、資金管理団体の会費を調達する。
【００１５】
本発明にあっては、会費処理装置は、料金が異なる複数の政治関連サービスのいずれか一つを示すサービス指定情報と、資金管理団体に入会する支援者の氏名を示す氏名情報とを含む入会情報を受信する。そして、会費処理装置は、前記入会情報に基づいて、支援者の氏名を、前記サービス指定情報に応じた態様で一覧表示するための支援者一覧情報を支援者通信装置へ送信し、支援者の氏名一覧を表示させる。
支援者の氏名を公開することによって、支援者に満足感を与えることができ、資金管理団体の会費を効果的に調達することが可能になる。また、政治献金の透明性を維持することが可能になる。
【００１６】
本発明にあっては、サービス指定情報によって指定された政治関連サービスの料金が高額である程、つまり資金管理団体に納付する会費が高額である程、当該支援者の氏名を大きく一覧表示するための支援者一覧情報を送信する。言い換えると、政治関連サービスの料金が低額である程、つまり資金管理団体に納付する会費が低額である程、当該支援者の氏名を小さく一覧表示するための支援者一覧情報を送信する。
より多額の会費を資金管理団体に納付した支援者の氏名をより大きな文字で一覧表示することによって、支援者により大きな満足感を与え、前記費用を効果的に調達することが可能になる。
【発明の効果】
【００１７】
本発明によれば、決済処理会社及び支援者が政治献金に対して抱く抵抗感を低減させることができ、政治活動の資金調達を効果的に実施することができる。
【図面の簡単な説明】
【００１８】
【図１】本発明の実施の形態に係る決済処理システムの一例を示す模式図である。
【図２】決済処理システムの構成を示すブロック図である。
【図３】支援者ＤＢのレコードレイアウトを概念的に示す説明図である。
【図４】資金管理団体への入会に係る処理手順を示すフローチャートである。
【図５】政治家サイト画面の一例を示す模式図である。
【図６】新規入会処理に係る処理手順を示すフローチャートである。
【図７】新規入会処理に係る処理手順を示すフローチャートである。
【図８】新規入会申込み画面の一例を示す模式図である。
【図９】会員サービス提供処理に係る処理手順を示すフローチャートである。
【図１０】会員サービス提供処理に係る処理手順を示すフローチャートである。
【図１１】ログイン画面の一例を示す模式図である。
【図１２】グリーティングカードの一例を示す模式図である。
【図１３】支援者名簿表示に係る処理手順を示すフローチャートである。
【図１４】支援者名簿の一例を示す模式図である。
【図１５】変形例１に係る新規入会申込み画面の一例を示す模式図である。
【図１６】変形例１に係る支援者名簿の一例を示す模式図である。
【図１７】会員証画面の一例を示す模式図である。
【図１８】変形例３に係る決済処理システムの一例を示す模式図である。
【図１９】変形例３における支援者ＤＢのレコードレイアウトを概念的に示す説明図である。
【図２０】変形例３における制御部の処理手順を示すフローチャートである。
【図２１】後援会管理者用サイト画面の一例を示す模式図である。
【図２２】支援者リストの表示処理に係る制御部の処理手順を示すフローチャートである。
【図２３】変形例における支援者名簿表示に係る処理手順を示すフローチャートである。
【図２４】退会者設定ボタンが選択された場合に表示される後援会管理者用サイト画面の一例を示す模式図である。
【図２５】名簿確認ボタンが選択された場合に表示される後援会管理者用サイト画面の一例を示す模式図である。
【図２６】選挙期間中対応ボタンが選択された場合に表示される後援会管理者用サイト画面の一例を示す模式図である。
【図２７】管理者登録ボタンが選択された場合に表示される後援会管理者用サイト画面の一例を示す模式図である。
【発明を実施するための形態】
【００１９】
以下、本発明をその実施の形態を示す図面に基づいて詳述する。
図１は、本発明の実施の形態に係る決済処理システムの一例を示す模式図である。図中１は、資金管理団体６の会費（以下、資金管理団体会費という）に係る処理と共に、政治に関連する政治関連サービスを提供する会費処理装置であり、インターネット等の有線又は無線の通信網Ｎを介して複数の支援者通信装置２及び決済処理装置３に接続されている。会費処理装置１は、例えば、政治関連サービス及び政治家サイトを提供する政治家サイト提供装置４及び入会処理装置５から構成されている。本実施の形態に係る決済処理システムは、白抜き矢印で示すように、政治献金そのものでは無く、資金管理団体会費及び政治関連サービスの対価としてのサービス料金を、クレジットカード決済によって調達し、資金管理団体会費を資金管理団体６に献上することによって、個人の支援者から効果的に政治資金を調達することを可能にするものである。なお、政治家は、国又は地方自治体の議員、当該議員が所属する政党、その他各種団体を意味する。
【００２０】
図２は、決済処理システムの構成を示すブロック図である。なお、作図の便宜上、一つの支援者通信装置２を代表して図示しているが、図１に示すように通信網Ｎには複数の支援者通信装置２が接続されている。
【００２１】
政治家サイト提供装置４は、各構成部の動作を制御する制御部４１、例えばＣＰＵ（Central Processing Unit）を備えたコンピュータであり、Ｗｅｂサーバ機能を有する。制
御部４１には、コンピュータの動作に必要なコンピュータプログラムを記憶したＲＯＭ、ハードディスク、半導体メモリ等の記憶部４２、演算に伴って発生する情報を一時的に記憶するＲＡＭ４３、政治家サイトを支援者通信装置２に表示させるための政治家サイト情報、資金管理団体会費を通じて政治家又は政党の支援を行う支援者で構成されるインターネット後援会に入会した支援者向けの政治関連サービスを提供するための会員専用サービス情報等を格納した政治関連サービスＤＢ（Database）４４、通信部４５が接続されている。制御部４１は、記憶部４２からコンピュータプログラムをＲＡＭ４３に読み出し、また必要に応じて政治関連サービスＤＢ４４から政治関連サービスに必要な情報を読み出して各種演算処理を実行することによって、本発明に係る会費処理方法に必要な機能、例えば政治関連サービス及び政治家サイトを支援者通信装置２へ提供するＷｅｂサーバ機能を実現する。
【００２２】
入会処理装置５は、各構成部の動作を制御する制御部５１を備えたコンピュータであり、いわゆる電子店舗を提供するＡＳＰ（Application Service Provider）事業者によって運用されている。入会処理装置５の基本的な構成は政治家サイト提供装置４と同様である。即ち、制御部５１には、電子店舗の提供及び資金管理団体会費決済処理等に必要なコンピュータプログラムを記憶した記憶部５２、ＲＡＭ５３、資金管理団体６に入会した支援者に関する情報を格納した支援者ＤＢ５４、通信部５５が接続されている。
【００２３】
図３は、支援者ＤＢ５４のレコードレイアウトを概念的に示す説明図である。支援者ＤＢ５４の表（ファイル）は、複数の列（フィールド）、例えば「支援者ＩＤ」、「氏名」、「電子メールアドレス」「パスワード」、「支援コース」、「入会日」、「カード名義」、「カード種類」、「カード番号」、「有効期限」等から構成されており、各行（レコード）は、各列に対応した情報を有する。
【００２４】
「支援者ＩＤ」列は、資金管理団体６に入会した複数の支援者夫々に固有の識別情報、例えば「００１」、「００２」、「００３」、「００４」を格納する。「氏名」列は、各支援者の氏名を示す氏名情報を格納する。「電子メールアドレス」は、支援者の電子メールアドレスを格納する。該電子メールアドレスは、会費処理装置１の入会処理装置５にログインするためのユーザＩＤとしても利用される。「パスワード」列は、入会処理装置５にログインするためのパスワードを格納する。「支援コース」は、資金管理団体会費の額に対応した支援コースを示す支援コース情報（サービス指定情報）を格納する。支援コースとしては、例えば資金管理団体会費の額が大きい順でプラチナ支援コース、ゴールド支援コース、シルバー支援コース、ホワイト支援コースが用意されている。各支援コースに含まれる資金管理団体会費の額は、会費処理装置の使用者が適宜選択すれば良い。「入会日」列は、資金管理団体６に入会した年月日を示す情報を格納する。「カード名義」列、「カード種類」列、「カード番号」列及び「有効期限」列は、夫々資金管理団体会費のクレジットカード決済に利用するクレジットカードの名義、該クレジットカードの種類、クレジットカード番号及び有効期限を格納する。
【００２５】
なお、実施の形態では、会費処理装置１の一部をＡＳＰの入会処理装置５で構成してあるが、入会処理装置５の機能を政治家サイト提供装置４に備え、一個の装置又はシステムで構成しても良い。また、逆に会費処理装置１の機能を、通信網Ｎを介して３以上の装置に分散させても良い。更に、各装置の機能を複数のコンピュータによって分散処理させても良いことは言うまでもない。
【００２６】
支援者通信装置２は、図２に示すように、各構成部の動作を制御する制御部２１を備えたパーソナルコンピュータであり、通信網Ｎを介して資金管理団体６への入会申し込み、資金管理団体会費の納付等を行い、政治家サイトを表示し、政治関連サービスを享受するためのＷｅｂクライアント機能を有する。制御部２１には、前記各機能を実現するためのコンピュータプログラムを記憶した記憶部２２、ＲＡＭ２３、通信部２５、キーボード又はマウス等の入力装置２６、液晶ディスプレイ又はＣＲＴディスプレイ等の表示装置２７が接続されている。制御部２１は、記憶部２２からコンピュータプログラムをＲＡＭ２３に読み出して各種演算処理を実行することによって、Ｗｅｂクライアント機能、その他各種機能を実現する。
なお、支援者通信装置２として、パーソナルコンピュータを説明したが、これに限定されるものでは無い。支援者通信装置２は、少なくとも通信網Ｎを介して資金管理団体６への入会申し込み、資金管理団体会費の納付等を行う通信機能を有している装置、例えば携帯電話機、ＰＤＡ（Personal Digital Assistant）等の携帯通信端末で構成しても良い。
【００２７】
決済処理装置３は、制御部３１を備えたサーバであり、決済処理会社、例えばクレジットカード会社によって運用されている。制御部３１には、クレジットカード決済を実行するためのコンピュータプログラムを記憶した記憶部３２、ＲＡＭ３３、クレジットカード決済に必要な情報、例えばカード名義、クレジットカード番号、有効期限等を格納した決済情報ＤＢ３４、通信部３５が接続されている。
なお、資金管理団体会費の決済方法として、クレジットカード決済を説明するが、資金管理団体会費の決済方法はこれに限定されない。例えば、オンラインデビット決済システム、プリペイドカード決済システム、電子マネー決済システム等の各種オンライン決済システムを採用しても良い。また、銀行振り込み、コンビニ決済等のオフライン決済を採用しても良い。
【００２８】
図４は、資金管理団体６への入会に係る処理手順を示すフローチャートである。支援者通信装置２の制御部２１は、入力装置２６によって入力された政治家サイトのＵＲＬを受け付け、該ＵＲＬによって特定される政治家サイト提供装置４へ、政治家サイトを表示するための政治家サイト情報を通信部２５を通じて要求する（ステップＳ１１）。なお、言うまでもなく、政治家サイトへのハイパーリンクのクリックを入力装置２６によって受け付け、該ハイパーリンクのＵＲＬで指定された政治家サイト提供装置４へ政治家サイト情報を要求しても良い。
【００２９】
政治家サイト提供装置４は、支援者通信装置２からの政治家サイトの要求を受けた場合、政治家サイトを表示するための政治家サイト情報を政治関連サービスＤＢ４４から読み出し、要求元の支援者通信装置２へ送信する（ステップＳ１２）。
【００３０】
支援者通信装置２の制御部２１は、通信部２５にて政治家サイト情報を受信し、受信した政治家サイト情報に基づいて、政治家サイト画面１０１を表示装置２７に表示させる（ステップＳ１３）。
【００３１】
図５は、政治家サイト画面１０１の一例を示す模式図である。政治家サイト画面１０１は、支援対象の政治家の氏名、政党、顔写真を含み、更に該政治家に対する支援を行う支援者で構成されるインターネット後援会に入会するための入会ボタン１０１ａ、インターネット後援会に入会した支援者用のログインボタン１０１ｂ、支援者名簿ボタン１０１ｃを含む。また、政治家サイト画面１０１には、その他一般的な情報として、政治家の新着活動状況、プロフィールを表示するためのボタン等が含まれる。
【００３２】
ステップＳ１３の処理を終えた場合、支援者通信装置２の制御部２１は、入力装置２６の操作によって入会ボタン１０１ａがクリックされたか否かを判定する（ステップＳ１４）。入会ボタン１０１ａがクリックされたと判定した場合（ステップＳ１４：ＹＥＳ）、制御部２１は、インターネット後援会への新規入会処理を実行する（ステップＳ１５）。
【００３３】
図６及び図７は、新規入会処理に係る処理手順を示すフローチャートである。制御部２１は、政治家サイトに固有のサイトＩＤを通信部２５にて送信し、インターネット後援会への新規入会の申込みを入会処理装置５へ要求する（ステップＳ３１）。サイトＩＤは、政治家サイト提供装置４から取得することができる。入会処理装置５は、複数の政治家のインターネット後援会を処理しており、サイトＩＤは、いずれのインターネット後援会への新規入会の申込みであるかを特定するために利用される。
【００３４】
入会処理装置５の制御部５１は、新規入会の申込み要求を受けた場合、新規申込み画面を表示するための新規入会申込み画面情報を通信部５５にて支援者通信装置２へ送信する（ステップＳ３２）。
【００３５】
支援者通信装置２の制御部２１は、新規入会申込み画面情報を通信部２５にて受信し、受信した新規入会申込み画面情報に基づいて、新規入会申込み画面１０２を表示装置２７に表示させ（ステップＳ３３）、支援者情報、氏名情報を含むカード情報、支援コース情報（サービス指定情報）を入力装置２６にて受け付ける（ステップＳ３４）。
【００３６】
図８は、新規入会申込み画面１０２の一例を示す模式図である。
新規入会申込み画面１０２は、支援対象の政治家の氏名、政党、顔写真等を上部に含み、更にその下部に、支援者情報として、支援者の氏名、氏名のフリガナ、支援者の電子メールアドレス、確認用の電子メールアドレス、電話番号、郵便番号、都道府県、住所、パスワード、確認用のパスワード、本人確認用のセキュリティーアンサー（質問）、セキュリティーアンサー（答え）を受け付けるための入力部１０２ａを含む。入力部１０２ａは、テキスト入力フィールド、メニューボタン等で構成される。
また、新規入会申込み画面１０２は、カード情報として、支援者が所有するクレジットカードのカード名義、カード種類、カード番号、及び有効期限を受け付けるための入力部１０２ｂを含む。
更に、新規入会申込み画面１０２は、支援コースとして、ホワイト支援コース（月額９８０円）、シルバー支援コース（月額１９６０円）、ゴールド支援コース（月額２９４０円）、プラチナ支援コース（月額３９２０円）を選択するためのラジオボタン１０２ｃを含む。なお、各月額は一例である。
【００３７】
ステップＳ３４の処理を終えた場合、制御部２１は、新規入会申込み画面１０２に入力された支援者情報、カード情報、支援コース情報を含む入会情報を通信部２５にて入会処理装置５へ送信する（ステップＳ３５）。入会処理装置５の制御部５１は、支援者通信装置２から送信された入会情報を通信部５５にて受信し（ステップＳ３６）、受信した入会情報に基づいて、入会情報を確認するための確認画面情報を支援者通信装置２へ送信する（ステップＳ３７）。
【００３８】
支援者通信装置２の制御部２１は、入会処理装置５から送信された確認画面情報を通信部２５にて受信し、受信した確認画面情報に基づいて、入会情報の確認画面を表示装置２７に表示させる（ステップＳ３８）。入会情報の確認画面には、ステップＳ３４で支援者が入力した支援者情報、カード情報、支援コース情報を含む入会情報を確定するための入会ボタン、情報の入力をやり直すための戻るボタン等が表示される。
【００３９】
制御部２１は、入力装置２６にて入会ボタンがクリックされたか否かを判定する（ステップＳ３９）。入会ボタンがクリックされずに戻るボタンがクリックされた場合（ステップＳ３９：ＮＯ）、制御部２１は、処理をステップＳ３４へ戻し、支援者情報、カード情報及び支援コース情報を再度受け付ける。入会ボタンがクリックされた場合（ステップＳ３９：ＹＥＳ）、制御部２１は、入会情報を確定するための入会確定情報を通信部２５にて入会処理装置５へ送信する（ステップＳ４０）。
【００４０】
入会処理装置５の制御部５１は、支援者処理装置から送信された入会確定情報を通信部５５にて受信し（ステップＳ４１）、内容が確定した支援者情報、カード情報、及び支援コース情報を支援者ＤＢ５４に格納する（ステップＳ４２）。次いで、制御部５１は、受け付けた支援コース情報に応じた料金を示す情報、及びカード情報を通信部５５にて送信し、料金の決済処理を決済処理装置３に要求する（ステップＳ４３）。決済処理装置３は、入会処理装置５から送信された料金の情報及びカード情報に基づいて、決済処理を実行する（ステップＳ４４）。
【００４１】
決済処理を終えた場合、入会処理装置５の制御部５１は、インターネット後援会への新規申込みが完了した旨を表示するための申込み完了画面情報を通信部５５にて支援者通信装置２へ送信する（ステップＳ４５）。支援者通信装置２の制御部２１は、入会処理装置５から送信された申込み完了画面情報を通信部２５にて受信し、申込み完了画面を表示装置２７に表示させ（ステップＳ４６）、新規入会処理を終える。
なお、制御部５１は、登録された電子メールアドレスを用いて、新規入会が完了した旨を、支援者通信装置２へ電子メール送信する処理も併せて実行する。確認のためである。
【００４２】
図４に示すように、ステップＳ１５の新規入会処理を終えた場合、又は入会ボタン１０１ａがクリックされていないと判定した場合（ステップＳ１４：ＮＯ）、制御部２１は、入力装置２６の操作によって、ログインボタン１０１ｂがクリックされたか否かを判定する（ステップＳ１６）。ログインボタン１０１ｂがクリックされたと判定した場合（ステップＳ１６：ＹＥＳ）、会員サービス提供処理を実行する（ステップＳ１７）。以下では、会員専用の政治家サイトが用意されている例を説明する。
なお、会員専用の政治家サイトが用意されていない場合、入会処理装置５は、インターネット後援会へのログインによって、支援者の情報変更、インターネット後援会からの退会等の事務手続きサービスを支援者通信装置２に提供する。支援者の情報変更、退会手続きについては、本発明の本質的部分では無いため、詳細な説明を省略する。
【００４３】
図９及び図１０は、会員サービス提供処理に係る処理手順を示すフローチャートである。支援者通信装置２の制御部２１は、政治家サイトに固有のサイトＩＤを通信部２５にて送信し、入会処理装置５へログイン処理を要求する（ステップＳ５１）。入会処理装置５の制御部５１は、ログイン処理の要求を受け付けた場合、ログイン画面１０３を表示するためのログイン画面情報を要求元の支援者通信装置２へ通信部５５にて送信する（ステップＳ５２）。
【００４４】
支援者通信装置２の制御部２１は、入会処理装置５から送信されたログイン画面情報を通信部２５にて受信し、ログイン画面１０３を表示装置２７に表示させ（ステップＳ５３）、ユーザＩＤとしての電子メールアドレス及びパスワードを入力装置２６にて受け付ける（ステップＳ５４）。
【００４５】
図１１は、ログイン画面１０３の一例を示す模式図である。ログイン画面１０３は、支援対象の政治家の氏名、政党、顔写真等を上部に含み、更にその下部に、支援者の電子メールアドレス及びパスワードを夫々入力するための入力部１０３ａを含む。
【００４６】
制御部２１は、ログイン画面１０３で電子メールアドレス及びパスワードの受け付けを完了した場合、ステップＳ５４で受け付けた電子メールアドレス及びパスワードを通信部２５にて入会処理装置５へ送信する（ステップＳ５５）。
【００４７】
入会処理装置５の制御部５１は、支援者通信装置２から送信された支援者の電子メールアドレス及びパスワードを通信部５５にて受信し（ステップＳ５６）、受信した電子メールアドレス及びパスワードと、支援者ＤＢ５４に登録されている電子メールアドレス及びパスワードとを比較することによって、支援者を認証する（ステップＳ５７）。
【００４８】
次いで、制御部５１は、支援者の認証に成功したか否かを判定する（ステップＳ５８）。支援者の認証に失敗したと判定した場合（ステップＳ５８：ＮＯ）、制御部５１は、認証に失敗したことを示す認証エラー情報を通信部５５にて支援者通信装置２へ送信する（ステップＳ５９）。支援者通信装置２の制御部２１は、認証エラー情報を通信部２５にて受信して、認証に失敗した旨を表示装置２７に表示させ（ステップＳ６０）、処理をステップＳ５１へ戻す。
【００４９】
認証に成功したと判定した場合（ステップＳ５８：ＹＥＳ）、入会処理装置５からサイトＩＤ、認証された支援者の支援者ＩＤ及び支援コースを示す商品ＩＤを政治家サイト提供装置４へ引き渡し、政治家サイト提供装置４の制御部４１は、サイトＩＤに対応する政治家の会員専用政治家サイト情報を通信部４５にて支援者通信装置２へ送信する（ステップＳ６１）。
【００５０】
支援者通信装置２の制御部２１は、会員専用政治家サイト情報を通信部２５にて受信し、会員専用の政治家サイトを表示装置２７に表示させる（ステップＳ６２）。
【００５１】
次いで、支援者通信装置２の制御部２１は、入力装置２６によって会員専用サービスの要求を受け付けたか否かを判定する（ステップＳ６３）。会員専用サービスを受け付けたと判定した場合（ステップＳ６３：ＹＥＳ）、制御部２１は、会員専用サービスを通信部２５にて政治家サイト提供装置４に要求する（ステップＳ６４）。
【００５２】
政治家サイト提供装置４の制御部４１は、会員専用サービスの要求を受けた場合、要求に応じた会員専用サービス情報を政治関連サービスＤＢ４４から読み出し、読み出した会員専用サービス情報を通信部４５にて支援者通信装置２へ送信する（ステップＳ６５）。支援者通信装置２の制御部２１は、政治家サイト提供装置４から送信された会員専用サービス情報を通信部２５にて受信する（ステップＳ６６）。
なお、ステップＳ６４〜６６は、会員専用の政治家サイトにログインしている状態での要求に応じて、会員専用サービスを即時に提供する処理を示しているが、専用サービスの提供タイミングは、特にこれに限定されず、支援者が会員専用の政治家サイトにログインしているか否かに拘わらず、会員専用サービスを適時に提供しても良いことは言うまでもない。
【００５３】
以下、会員専用サービスの具体例を説明する。
例えば、会員専用サービスとして、デコレーションメール配信を行うと良い。デコレーションメール配信とは、政治家の顔、キャラクター等を活用したデコレーションメールを、パーソナルコンピュータ、及び携帯電話機、ＰＤＡ等の各種携帯通信端末向けに配信する機能である。デコレーションメール配信機能によれば、支援者及びデコレーションメールの受信者に対し、政治家を身近に感じて貰うことが可能になる。
【００５４】
また、会員専用サービスとして、ムービー・ボイス・メロディーコール配信を行っても良い。ムービー・ボイス・メロディーコール配信とは、政治家の顔、キャラクター等を活用したムービー・ボイス・メロディーコールを、パーソナルコンピュータ及び携帯通信端末向けに配信する機能である。ムービー・ボイス・メロディーコール配信機能によれば、支援者に対し、政治家を身近に感じて貰うことが可能になる。
【００５５】
更に、会員専用サービスとして、メルマガ配信を行っても良い。メルマガ配信とは、政治家が自身の活動報告等を支援者に対し、定期的にメールマガジンとして配信する機能である。メルマガ配信機能は、応援者である支援者に対し、政治家自身の報告・説明責任を担保することが可能になる。
【００５６】
更にまた、会員専用サービスとして、壁紙ダウンロードサービスを行っても良い。壁紙ダウンロードとは、政治家サイト又は会員専用政治家サイトに政治家のポスター画像データ、政党のポスター画像データ、キャッチフレーズ画像データ等がアップされており、支援者通信装置２からの求めに応じて、各種画像データを支援者通信装置２へ送信する機能である。壁紙ダウンロードサービスによれば、政治家及び支援者相互の交流を深めるに留まらず、支援者が壁紙等を使用することで、政治家の知名度が草の根的に広がることを可能にする。
【００５７】
更にまた、会員専用サービスとして、会員用ＳＮＳ（Social Network Service）を提供しても良い。会員用ＳＮＳとは、支援者向けのソーシャルネットワーキングサービスであり、ＳＮＳ内において政治家及び支援者内での相互交流が行われる。会員用ＳＮＳによれば、政治家及び支援者相互の交流を促進することが可能になる。
【００５８】
更にまた、会員専用サービスとして、後援会会報ＰＤＦ閲覧機能を提供しても良い。後援会会報ＰＤＦ閲覧機能とは、支援者向けに各後援会会報をＰＤＦ化した形式で閲覧可能とする機能である。後援会会報ＰＤＦ閲覧機能は、紙媒体の後援会会報に比べ、支援者がより手軽に後援会会報を閲覧することを可能にする。
【００５９】
更にまた、会員専用サービスとして、グリーティングカード機能を提供しても良い。グリーティングカード機能とは、インターネットと電子メールを活用してグリーティングカードと同様の効果を奏する画像データを送信すべく、画像処理されたデータを提供する機能である。具体的には、支援者は、画像、音楽、動画等のコンテンツを政治家サイト上に予め用意されているものの中から選択し、メッセージ、送信元のメールアドレス及び送信先のメールアドレス等を入力し、送信ボタンをクリックすることによって、選択した画像、音楽、動画等のコンテンツと入力したメッセージとが一体になった電子的なグリーティングカードを作成し、送信することができる。該グリーティングカードのデータを受信した携帯通信端末には、グリーティングカード機能を用いて作成されたグリーティングカードの画像が表示される。
図１２は、グリーティングカードの一例を示す模式図である。図１２に示すグリーティングカード１０４には、政治家の写真、又はイラスト、政治家の氏名、所属する政党の名前、政治家サイトのＵＲＬ等が適宜箇所に表示された画像と、支援者のメッセージとが表示された画像である。
グリーティングカード機能によれば、政治家及び支援者相互の交流を深めるに留まらず、支援者がグリーティング機能を使用することで、政治家の知名度が草の根的に広がることを可能にする。
【００６０】
更にまた、会員専用サービスとして、人気投票機能を提供しても良い。人気投票機能とは、支援者向けに対象政治家への投票を通した人気投票を計測する機能である。また、人気投票機能は、対象法案ごとの賛否について支援者が投票する機能を含む。人気投票機能によれば、支援者の意思を政治に反映させることが可能になる。
【００６１】
更にまた、会員専用サービスとして、政治関連ニュース閲覧機能を提供しても良い。政治関連ニュース閲覧機能とは、他メディア等で配信された政治関連ニュースを集約・閲覧する機能である。政治関連ニュース閲覧機能は、支援者の政治に関する知識を更に深め、相対的に後援先の政治家を見て貰うことを可能にする。
【００６２】
更にまた、会員専用サービスとして、政治家別投票行動閲覧機能を提供しても良い。政治家別投票行動閲覧機能とは、各政治家の法案に対する賛否についてのデータベースを集約及び閲覧できる機能である。政治家別投票行動閲覧機能は、支援者が各政治家の政治活動を知ることを可能にする。
【００６３】
更にまた、会員専用サービスとして、ユーザ質問型Ｑ＆Ａ掲示板機能を提供しても良い。ユーザ質問型Ｑ＆Ａ掲示板機能とは、政治に関する質問を行う掲示板を設置し、ユーザ間で質問及び回答のやり取りに利用する機能である。ユーザ質問型Ｑ＆Ａ掲示板機能によれば、会員相互の交流及び政治に関する理解、関心を深めることが可能になる。
【００６４】
更にまた、会員専用サービスとして、政治家リレーコラム機能を提供しても良い。政治家リレーコラム機能とは、参加政治家がリレー式にコラムを書き、集約及び閲覧する機能である。政治家リレーコラム機能によれば、支援者の政治に関する興味及び関心を満たすと共に、複数の政治家に対する理解を深めることを可能にする。
【００６５】
更にまた、会員専用サービスとして、国会見学斡旋機能を提供しても良い。国会見学斡旋機能とは、政治家サイト上に国会見学の募集を募る機能のことである。国会見学斡旋機能によれば、多くの支援者が、国会見学に参加することが可能になる。
【００６６】
更にまた、会員専用サービスとして、政治資金パーティー斡旋機能を提供しても良い。政治資金パーティー斡旋機能とは、政治家サイト上での購入申込みを可能とする機能である。政治資金パーティー斡旋機能によれば、それまでの縁故によるパーティー券の購入では無く、広く政治に関心のある人々に対しても手軽にパーティー券の購入が可能になる。
【００６７】
更にまた、会員専用サービスとして、政治家検索機能を提供しても良い。政治家検索機能とは、選挙区別、又は政治思想の区別により政治家を検索できる機能である。政治家検索機能は、支援者の政治に対する興味・関心・理解を深めることを可能にする。
【００６８】
更にまた、会員専用サービスとして、政治家及び後援会グッズ通販機能を提供しても良い。政治家及び後援会グッズ通販機能とは、政治家サイト上にて政治家又は事務所、後援会で作成したグッズを販売、購入できる機能のことである。政治家及び後援会グッズ通販機能によれば、政治家、後援会と支援者の相互交流を深め、更には手軽にグッズを購入することが可能になる。
【００６９】
更にまた、会員専用サービスとして、秘書・スタッフ・インターンリクルート機能を提供しても良い。秘書・スタッフ・インターンリクルート機能とは、政治家サイト上にて政治家の仕事を手助けする人を募集する機能である。秘書・スタッフ・インターンリクルート機能によれば、政治に関心があり政治家と共に働きたいという人に対して、広く手軽に門戸を開くことが可能になる。
【００７０】
更にまた、会員専用サービスとして、応援メッセージ掲載機能を提供しても良い。応援メッセージ掲載機能とは、政治家への応援メッセージを掲載する機能のことである。応援メッセージ掲載機能によれば、政治家及び支援者相互の交流を促進すると共に、支援者たるモチベーションを維持、向上させることが可能になる。
【００７１】
なお、実施の形態では、上述の各種会員用サービスを政治家サイト提供装置４から提供する例を説明したが、ＡＰＳ事業者のサーバを利用して、各種会員用サービスを提供するように構成しても良い。
【００７２】
図１０に示すように、ステップＳ６６の処理を終えた場合、又は会員専用サービスの要求を受け付けていないと判定した場合（ステップＳ６３：ＮＯ）、制御部２１は、入力装置２６によって戻り操作、即ち会員専用の政治家サイトからのログアウトを受け付けたか否かを判定する（ステップＳ６７）。戻り操作を受け付けていないと判定した場合（ステップＳ６７：ＮＯ）、制御部２１は、処理をステップＳ６３へ戻す。戻り操作を受け付けたと判定した場合（ステップＳ６７：ＹＥＳ）、制御部２１は、会員サービス提供に係る処理を終える。
【００７３】
図４に示すように、ステップＳ１７の会員サービス提供処理を終えた場合、又はログインボタン１０１ｂがクリックされていないと判定した場合（ステップＳ１６：ＮＯ）、制御部２１は、入力装置２６の操作によって、支援者名簿ボタン１０１ｃがクリックされたか否かを判定する（ステップＳ１８）。支援者名簿ボタン１０１ｃがクリックされたと判定した場合（ステップＳ１８：ＹＥＳ）、支援者名簿表示処理を実行する（ステップＳ１９）。
【００７４】
図１３は、支援者名簿表示に係る処理手順を示すフローチャートである。支援者通信装置２の制御部２１は、サイトＩＤを通信部２５にて送信し、支援者名簿を入会処理装置５に要求する（ステップＳ７１）。入会処理装置５の制御部５１は、支援者名簿の要求を受けた場合、サイトＩＤによって特定される政治家サイトに係る支援者の情報を支援者ＤＢ５４から読み出し、読み出した情報に基づいて、支援者名簿情報を生成し、生成した支援者名簿情報（支援者一覧情報）を通信部５５にて支援者通信装置２へ送信する（ステップＳ７２）。
【００７５】
支援者通信装置２の制御部２１は、入会処理装置５から送信された支援者名簿情報を受信し（ステップＳ７３）、支援者名簿を表示装置２７に表示させ（ステップＳ７４）、支援者名簿の表示に係る処理を終える。
【００７６】
図１４は、支援者名簿の一例を示す模式図である。支援者名簿１０５は、資金管理団体６に入会した支援者の氏名、年齢、及び都道府県を一覧表示したものであり、各支援者の氏名等は、支援コースの金額が高額である程、大きな文字で表示されている。図１４に示す例では、プラチナ支援コースで資金管理団体６に入会した支援者一覧１０５ａが最上部に表示され、支援者の氏名、例えば「支援者ＡＡＡ」、「支援者ＥＥＥ」、…が上下方向に配列し、各支援者の氏名の横に年齢「２８」、都道府県「東京都」が配列している。
プラチナ支援コースの支援者一覧１０５ａの下方に、ゴールド支援コースの支援者一覧１０５ｂが同様にして表示されている。ただし、ゴールド支援コースの支援者の氏名は、プラチナ支援コースの支援者の氏名より小さく表示されている。以下、同様にして、ゴールド支援コースの支援者一覧１０５ｂの下方に、シルバー支援コースの支援者一覧１０５ｃ、ホワイト支援コースの支援者一覧１０５ｄの順で表示される。
なお、図１４では、支援コースの管理団体会費が高額である程、文字を大きく表示するように構成してあるが、支援コースが高額である程、氏名の文字を太く、文字又は背景の色を明るく、装飾をより多く施すように構成しても良い。
【００７７】
図４に示すように、支援者名簿表示処理を終えた場合（ステップＳ１９）、又は支援者名簿ボタン１０１ｃがクリックされていないと判定した場合（ステップＳ１８：ＮＯ）、支援者通信装置２の制御部２１は、入力装置２６によって他のサイトへのアクセス操作がされたか否かを判定する（ステップＳ２０）。他のサイトへのアクセス操作がされていないと判定した場合（ステップＳ２０：ＮＯ）、制御部２１は、処理をステップＳ１４へ戻す。他のサイトへのアクセス操作がされたと判定した場合（ステップＳ２０：ＹＥＳ）、制御部２１は、処理を終える。
【００７８】
以上のように構成された決済処理システム、会費処理装置１及び会費処理方法にあっては、資金管理団体会費及び政治関連サービスの対価としてのサービス料金を、クレジットカード決済することによって調達する構成であるため、決済処理会社及び支援者が政治献金に対して抱く抵抗感を低減させることができ、政治活動の資金調達を効果的に実施することができる。
【００７９】
また、通信網Ｎを介して全国の個人の支援者、特に無党派層、若年層の支援者から効率的に資金管理団体会費を調達することができる。
更に、支援者名簿を公開することによって、支援者に満足感を与え、政治献金の透明性を維持することができる。
更にまた、月会費制によって資金管理団体会費をクレジットカード、銀行口座等からの自動引き落としにより、毎月自動的に調達することができる。
更にまた、会員用の各種政治関連サービスを提供することによって、より魅力的な政治家サイトを構築し、効果的にインターネット後援会の会員を募り、資金管理団体会費を調達することができる。
【００８０】
（変形例１）
変形例１に係る決済処理システムは、新規入会申し込み画面にて受け付ける入会情報、及び支援者名簿の表示方法が、上述の実施の形態に係る決済処理システムと異なるため、以下では主に上記相異点を説明する。
【００８１】
図１５は、変形例１に係る新規入会申込み画面２０２の一例を示す模式図である。変形例１に係る新規入会申込み画面２０２は、更に支援者名簿への掲載方法及び掲載の有無を入力するためのラジオボタン２０２ｃ、支援者の職業を入力するためのメニューボタン２０２ｄを備える。ラジオボタン２０２ｃは、例えば三択のラジオボタンであり、氏名、年齢、及び都道府県の全てを掲載する第１の選択肢、氏名のみを掲載する第２の選択肢、掲載しないという第３の選択肢を有する。支援者は、支援者通信装置２の入力装置２６を用いて、支援者名簿への掲載方法を入力することができる。
【００８２】
支援者通信装置２の制御部２１は、図６に示すステップＳ３４で新規入会申し込み画面２０２に入力された支援者情報、カード情報、支援コース情報に加え、支援者名簿への掲載方法を示す掲載方法情報、及び職業を示す職業情報を含む入会情報を受け付け、ステップＳ３５で、該入会情報を入会処理装置５へ送信する。入会処理装置５の制御部５１は、支援者通信装置２から送信された前記入会情報を受信し、入会確定情報を受信後、ステップＳ４２の処理で、内容が確定した支援者情報、カード情報、支援コース情報、掲載方法情報、及び職業情報等を支援者ＤＢ５４に格納する。
そして、制御部５１は、図１３に示すステップＳ７２の処理で、支援者名簿の要求を受けた場合、サイトＩＤによって特定される政治家サイトに係る支援者の情報を支援者ＤＢ５４から読み出し、読み出した情報に基づいて、変形例１に係る支援者名簿情報を生成し、生成した支援者名簿情報を通信部５５にて支援者通信装置２へ送信する。
支援者通信装置２の制御部２１は、入会処理装置５から送信された前記支援者名簿情報を受信し、受信した支援者名簿情報に基づいて、支援者名簿を表示装置２７に表示させる。
【００８３】
図１６は、変形例１に係る支援者名簿２０５の一例を示す模式図である。変形例１に係る支援者名簿２０５は、変形例１に係る新規入会申込み画面２０２で受け付けた掲載方法情報に基づいて、支援者の氏名、年齢及び都道府県を選択的に表示する。つまり、第１の選択肢を選択した支援者については、氏名、年齢及び都道府県を支援者名簿２０５に全て表示し、第２の選択肢を選択した支援者については、氏名のみを支援者名簿２０５に表示し、第３の選択肢を選択した支援者については、氏名、年齢及び都道府県のいずれも支援者名簿２０５に表示しない。例えば、支援者ＥＥＥが、掲載方法として、「氏名のみを掲載」を選択していた場合、支援者ＥＥＥの氏名のみがプラチナ支援コースの支援者一覧２０５ａに表示される。また、支援者ＢＢＢ，ＣＣＣ，ＦＦＦ，ＧＧＧが、掲載方法として「氏名＋年齢＋都道府県を掲載」を選択していた場合、各支援者の氏名が夫々支援者一覧２０５ｂ，２０５ｃに表示される。更に、ホワイト支援コースの支援者ＨＨＨが、「掲載しない」を選択していた場合、支援者ＨＨＨの氏名、年齢、都道府県のいずれも支援者一覧２０５ｄには表示されない。
【００８４】
変形例１に係る決済処理システム、会費処理装置及び会費処理方法にあっては、支援者は、支援者名簿２０５に表示する情報を適宜選択することができ、個人情報の開示を望まない支援者の入会を促すことができ、政治活動の資金調達を効果的に実施することができる。
【００８５】
（変形例２）
上述の実施の形態では、支援者名簿を公開するように構成してあるが、支援者名簿を公開しないように構成しても良い。この場合、図１０に示すステップＳ６４〜６６で提供する会員専用サービスとして、後援会の会員であることを証明する会員証を表示するように構成すると良い。
【００８６】
図１７は、会員証画面の一例を示す模式図である。会員証画面は、認証されている支援者の支援コース及び氏名のみが表示されたカード画像を有する。入会処理装置５の制御部５１は、前記会員証画面のデータを認証されている支援者の支援者通信装置２へ送信することによって、該支援者通信装置２の表示装置２７に会員証のカード画像を表示させる。
【００８７】
変形例２に係る決済処理システム、会費処理装置及び会費処理方法にあっては、会員者名簿を一般公開することなく、支援者に会員証画面を提供することができ、支援者は、会員証画面によって後援会の会員であることを確認することができる。
【００８８】
（変形例３）
変形例３では、主にインターネット後援会の管理者向けサービスに関する処理を説明する。具体的には、インターネット後援会に入会した支援者の一覧を、後援会管理用に表示する支援者リスト表示処理、不適切な会員を退会させる退会処理、支援者名簿への掲載確認処理、選挙期間中のメール配信停止処理、インターネット後援会の管理者登録処理を説明する。
【００８９】
図１８は、変形例３に係る決済処理システムの一例を示す模式図である。変形例３に係る決済処理システムは、上述の実施の形態と同様、会費処理装置１、複数の支援者通信装置２及び決済処理装置３を備え、更に通信網Ｎに接続された１又は複数の後援会通信装置７を備える。なお、後援会通信装置７と、政治家サイト提供装置４とを別体で構成する例を説明するが、後援会通信装置７及び政治家サイト提供装置４を一のコンピュータにて実現しても良い。
【００９０】
後援会通信装置７は、各構成部の動作を制御する制御部７１を備えたパーソナルコンピュータであり、通信網Ｎを介して支援者リストの表示、支援者の退会処理、支援者名簿の掲載確認処理等の各種後援会管理者向けサービスを利用するためのＷｅｂクライアント機能を有する。制御部７１には、前記機能を実現するためのコンピュータプログラムを記憶した記憶部７２、ＲＡＭ７３、通信部７５、キーボード又はマウス等の入力装置７６、液晶ディスプレイ又はＣＲＴディスプレイ等の表示装置７７が接続されている。制御部７１は、記憶部７２からコンピュータプログラムをＲＡＭ７３に読み出して各種演算処理を実行することによって、Ｗｅｂクライアント機能、その他各種機能を実現する。
【００９１】
図１９は、変形例３における支援者ＤＢ５４のレコードレイアウトを概念的に示す説明図である。支援者ＤＢ５４の表は、上述の実施の形態と同様の構成であり、更に、「氏名フリガナ」列、「後援会ＩＤ」列、「掲載可否情報」列、「掲載情報」列、「退会日」列、「退会理由」列等を有する。
【００９２】
「氏名フリガナ」列は、各支援者の氏名を仮名表記（平仮名表記又は片仮名表記）した氏名情報を格納する。なお、仮名表記の氏名情報は、支援者がインターネット後援会に入会する際に、支援者通信装置２から入会処理装置５へ送信され、支援者ＤＢ５４に登録される。「後援会ＩＤ」列は、政治家を後援している複数の後援会夫々に固有の識別情報を格納する。「掲載可否情報」列は、支援者の氏名を支援者名簿に掲載して公開することの可否、掲載する情報の範囲等を示した情報を格納する。「掲載情報」列は、入会した支援者の氏名が、支援者名簿に掲載されて公開されている状態にあるか、未掲載の状態にあるかを示す情報を格納する。「退会日」列は、インターネット後援会から入会済みの支援者を退会させた年月日を示した情報を格納する。「退会理由」列は、支援者を退会させた理由を示した情報を格納する。
【００９３】
図２０は、変形例３における制御部５１，７１の処理手順を示すフローチャートである。なお、図２０には、主に入会処理装置５側の処理手順を示しているが、詳細には後援会通信装置７及び入会処理装置５の制御部５１，７１が協働している。後援会通信装置７の制御部７１は、入力装置７６によって入力された後援会管理者用サイトのＵＲＬを受け付け、入会処理装置５へ、後援会管理者用サイトを表示するための後援会管理者用サイト情報を、通信部７５を通じて要求することができ、入会処理装置５の制御部５１は、通信部５５を通じて該情報を受信する（ステップＳ１０１）。後援会管理者用サイト情報の要求を受信した入会処理装置５の制御部５１は、後援会管理者用サイト情報を、通信部５５を通じて後援会通信装置７へ送信する（ステップＳ１０２）。後援会通信装置７の制御部７１は、通信部７５にて後援会管理者用サイト情報を受信し、受信した後援会管理者用サイト情報に基づいて、後援会管理者用サイト画面４０１を表示装置７７に表示させる。
【００９４】
図２１は、後援会管理者用サイト画面４０１の一例を示す模式図である。後援会管理者用サイト画面４０１は、支援者リストボタン４０１ａ、退会者設定ボタン４０１ｂ、名簿掲載確認ボタン４０１ｃ、選挙期間中対応ボタン４０１ｄ、管理者登録ボタン４０１ｅを含む。また、図２１では、支援者リストボタン４０１ａが選択され、支援コースを選択するメニューが表示された状態にあり、後援会管理者は、いずれか一つの支援コースを選択することができる。後援会管理者用サイトには、選択された支援コースに属する支援者の氏名、年齢等を含む支援者リスト４０１ｆが表示される。また、支援者毎に詳細ボタンが設けられており、該詳細ボタンが操作された場合、該支援者に関する詳細な情報が表示されるように構成されている。更に、ダウンロードボタンが設けられており、ダウンロードボタンが操作された場合、支援者リスト４０１ｆの情報が、所定のデータ形式、例えばＣＳＶ形式で後援会通信装置７へ送信される。後援会通信装置７は、支援者リスト４０１ｆの情報を受信し、他のソフトに取り込んで利用することができる。
【００９５】
図２０に示すように、ステップＳ１０２の処理を終えた制御部５１は、支援者リストボタン４０１ａが選択されたか否かを判定する（ステップＳ１０３）。具体的には、後援会通信装置７の制御部７１は、入力装置７６によって支援者リストボタン４０１ａがクリックされた場合、支援者リストボタン４０１ａが操作されたことを示す情報を入会処理装置５へ送信する。入会処理装置５は、後援会通信装置７から送信される該情報に基づいて、支援者リストボタン４０１ａが選択されたか否かを判定することができる。
【００９６】
支援者リストボタン４０１ａが操作されたと判定した場合（ステップＳ１０３：ＹＥＳ）、制御部５１は、支援者リスト４０１ｆの表示処理を実行する（ステップＳ１０４）。
【００９７】
図２２は、支援者リスト４０１ｆの表示処理に係る制御部５１，７１の処理手順を示すフローチャートである。後援会通信装置７の制御部７１は、後援会ＩＤ、選択された支援コース等の情報を通信部７５にて送信し、支援者リスト４０１ｆを入会処理装置５に要求する（ステップＳ１３１）。入会処理装置５の制御部５１は、支援者リスト４０１ｆの要求を受けた場合、後援会ＩＤと、選択された支援コースを示す情報によって特定される支援者の情報、特に漢字表記の氏名、年齢等の情報を支援者ＤＢ５４から読み出し、読み出した情報に基づいて、氏名が漢字表記された支援者名簿情報を生成し、生成した支援者名簿情報を通信部５５にて後援会通信装置７へ送信する（ステップＳ１３２）。
【００９８】
後援会通信装置７の制御部７１は、入会処理装置５から送信された支援者名簿情報を受信し（ステップＳ１３３）、図２１に示すように、氏名が漢字表記された支援者リスト４０１ｆを表示装置７７に表示させ（ステップＳ１３４）、支援者リスト４０１ｆの表示に係る処理を終える。
【００９９】
一方、変形例３では、上述の実施の形態で説明したステップＳ１９で、氏名が仮名表記された支援者名簿を表示するように構成されている。
【０１００】
図２３は、変形例における支援者名簿表示に係る処理手順を示すフローチャートである。支援者通信装置２の制御部２１は、サイトＩＤを通信部２５にて送信し、支援者名簿を入会処理装置５に要求する（ステップＳ１５１）。入会処理装置５の制御部５１は、支援者名簿の要求を受けた場合、サイトＩＤによって特定される政治家サイトに係る支援者の情報、特に氏名に関しては仮名表記された氏名フリガナの情報を支援者ＤＢ５４から読み出し、読み出した情報に基づいて、氏名が仮名表記された支援者名簿情報を生成し、生成した支援者名簿情報を通信部５５にて支援者通信装置２へ送信する（ステップＳ１５２）。
【０１０１】
支援者通信装置２の制御部２１は、入会処理装置５から送信された支援者名簿情報を受信し（ステップＳ１５３）、氏名が仮名表記された支援者名簿を表示装置２７に表示させ（ステップＳ１５４）、支援者名簿の表示に係る処理を終える。
【０１０２】
図２０に示すように、ステップＳ１０４の処理を終えた場合、又はステップＳ１０３で支援者リスト４０１ｆが選択されていないと判定した場合（ステップＳ１０３：ＮＯ）、制御部５１は、退会者設定ボタン４０１ｂが選択されたか否かを判定する（ステップＳ１０５）。退会者設定ボタン４０１ｂが選択されたと判定した場合（ステップＳ１０５：ＹＥＳ）、制御部５１は、退会設定処理を実行する（ステップＳ１０６）。
【０１０３】
図２４は、退会者設定ボタン４０１ｂが選択された場合に表示される後援会管理者用サイト画面４０１の一例を示す模式図である。退会者設定ボタン４０１ｂが選択された場合、図２４（ａ）に示すように、第１項目「支援者検索」及び第２項目「退会者リスト」を含むメニューが表示され、第１項目「支援者検索」が選択された場合、特定の支援者を検索するための検索条件入力部４０１ｇが表示される。検索条件入力部は、氏名及び生年月日を入力するテキスト入力フィールド、検索ボタン等で構成されている。後援会管理者は、検索条件入力部のテキスト入力フィールドに支援者の氏名及び生年月日を入力し、検索ボタンを操作することによって、特定の支援者を検索することができる。検索によって特定の支援者が特定された場合、退会設定ボタンが表示される。具体的な処理手順は以下の通りである。後援会通信装置７の制御部７１は、入力装置７６にて検索条件を受け付け、受け付けた検索条件を入会処理装置５へ送信する。入会処理装置５は、検索条件を受信し、該検索条件に基づいて、支援者ＤＢ５４から検索条件に合致する支援者を検索する。そして、検索条件に合致する支援者が特定された場合、入会処理装置５の制御部５１は、該支援者に関する情報を後援会通信装置７へ送信する。後援会通信装置７の制御部７１は、該情報を受信し、特定の支援者に関する情報を表示装置７７に表示させる。
【０１０４】
退会設定ボタンが操作された場合、図２４（ｂ）に示すように、退会理由入力部４０１ｈが表示される。後援会支援者は、退会理由入力部に退会理由を入力し、退会設定ボタンを操作することによって、不適切な支援者をインターネット後援会から強制的に退会させることができる。具体的には、後援会通信装置７の制御部７１は、入力装置７６にて入力された退会理由及び支援者ＩＤを入会処理装置５へ送信する。入会処理装置５の制御部５１は、後援会通信装置７から送信された退会理由及び支援者ＩＤを受信し、受信した支援者ＩＤに対応付けて退会理由及び退会年月日を支援者ＤＢ５４に登録する。
【０１０５】
図２４（ｃ）に示すように、退会ボタンが操作され、第２項目「退会者リスト」が選択された場合、退会者リスト４０１ｊが後援者管理者用サイトに表示される。具体的には、入会処理装置５の制御部５１は、退会年月日が登録されている支援者に関する情報を後援会通信装置７へ送信する。後援会通信装置７の制御部７１は、入会処理装置５から送信された該情報を受信し、強制退会させた支援者の情報を表示装置７７に表示させる。なお、強制退会させた支援者は、以後、インターネット後援会に入会することができなくなる。
【０１０６】
ステップＳ１０６の処理を終えた場合、又はステップＳ１０５で退会者設定ボタン４０１ｂが選択されていないと判定した場合（ステップＳ１０５：ＮＯ）、制御部５１は、名簿掲載確認ボタン４０１ｃが選択されたか否かを判定する（ステップＳ１０７）。名簿掲載確認ボタン４０１ｃが選択されたと判定した場合（ステップＳ１０７：ＹＥＳ）、制御部５１は、名簿掲載確認処理を実行する（ステップＳ１０８）。
【０１０７】
図２５は、名簿確認ボタンが選択された場合に表示される後援会管理者用サイト画面４０１の一例を示す模式図である。名簿掲載確認ボタン４０１ｃが操作された場合、支援者名簿未掲載一覧４０１ｊが後援会管理者用サイト画面４０１に表示される。支援者名簿未掲載一覧４０１ｊは、インターネット後援会への入会処理を終え、かつ後援会管理者による支援者名簿への掲載確認（承認）を終えていない支援者の情報を一覧表示したものであり、支援者毎に、該支援者に関する情報の詳細を表示させるための詳細ボタン、チェックボタンが設けられている。インターネット後援会への入会手続きを終えた支援者の氏名は、即時に支援者名簿によって公開される訳ではなく、後援会管理者による掲載確認を終えた後、公開されるように構成されている。後援会管理者は、掲載確認を終えた支援者のチェックボタンをチェックし、掲載ボタンを操作することによって、掲載確認を行う。掲載確認が行われた支援者の氏名は、支援者名簿にて公開される。
具体的には、入会処理装置５の制御部５１は、「掲載情報」列に「未掲載」の情報が登録されている支援者を特定し、特定された支援者に関する情報を後援会通信装置７へ送信する。後援会通信装置７の制御部７１は、入会処理装置５から送信された前記情報を受信し、該情報に基づいて、支援者名簿未掲載一覧４０１ｊを表示装置７７に表示させる。そして、制御部７１は、入力装置７６にて掲載確認が行われた支援者を特定するための支援者ＩＤを入会処理装置５へ送信する。入会処理装置５は、後援会通信装置７から送信された支援者ＩＤを受信し、該支援者ＩＤに対応する「掲載情報」列に「掲載済」の情報を登録する。
【０１０８】
ステップＳ１０８の処理を終えた場合、又はステップＳ１０７で名簿掲載確認ボタン４０１ｃが選択されていないと判定した場合（ステップＳ１０７：ＮＯ）、制御部５１は、選挙期間中対応ボタン４０１ｄが選択されたか否かを判定する（ステップＳ１０９）。選挙期間中対応ボタン４０１ｄが選択されたと判定した場合（ステップＳ１０９：ＹＥＳ）、制御部５１は、支援者に対するメール配信停止処理を実行する（ステップＳ１１０）。
【０１０９】
図２６は、選挙期間中対応ボタン４０１ｄが選択された場合に表示される後援会管理者用サイト画面の一例を示す模式図である。選挙期間中対応ボタン４０１ｄが操作された場合、メール配信設定部４０１ｋが後援会管理者用サイト画面４０１に表示される。メール配信設定部４０１ｋは、支援者へのメール配信を行わせる「支援者メール通常」ラジオボタン、支援者へのメール配信を停止させる「支援者メール停止」ラジオボタン、設定ボタン等で構成される。後援会管理者は、「支援者メール停止」ラジオボタンを選択し、設定ボタンを操作することによって、選挙期間中における支援者に対するメール配信を停止させることができる。なお、入会処理装置５が、選挙期間を示す情報を受け付け、該選挙期間が経過したか否かを判定し、選挙期間が経過したと判定した場合、支援者の入会に係るメール配信を再開するように構成しても良い。
【０１１０】
ステップＳ１１０の処理を終えた場合、又はステップＳ１０９で選挙期間中対応ボタン４０１ｄが選択されていないと判定した場合（ステップＳ１０９：ＮＯ）、制御部５１は、管理者登録ボタン４０１ｅが選択されたか否かを判定する（ステップＳ１１１）。管理者登録ボタン４０１ｅが選択されていないと判定した場合（ステップＳ１１１：ＮＯ）、制御部５１は、処理を終える。管理者登録ボタン４０１ｅが選択されたと判定した場合（ステップＳ１１１：ＹＥＳ）、制御部５１は、管理者登録処理を実行し（ステップＳ１１２）、処理を終える。
【０１１１】
図２７は、管理者登録ボタン４０１ｅが選択された場合に表示される後援会管理者用サイト画面４０１の一例を示す模式図である。管理者登録ボタン４０１ｅが選択された場合、図２７（ａ）に示すように、第１項目「管理者一覧」及び第２項目「管理者登録」を含むメニューが表示され、第１項目「管理者一覧」が選択された場合、管理者一覧４０１ｌが表示される。第２項目「管理者登録」が選択された場合、管理者登録部４０１ｍが後援会管理者用サイト画面４０１に表示される。管理者登録部４０１ｍは、新たな後援会管理者の氏名、フリガナ、ＩＤ、パスワード、メールアドレス等を入力するテキストフィールド、登録ボタン等から構成されている。なお、後援会管理者のメールアドレス宛には、新規の支援者が入会した際、新規入会者が発生した旨が通信される。
【０１１２】
なお、後援会管理者用サイト画面４０１には、図示しない議員基本情報登録ボタンが設けられており、議員基本情報登録ボタンを操作し、政治家の基本情報を入力し、入会処理装置５のデータベースに登録することができるように構成されている。
【０１１３】
変形例３にあっては、支援者名簿として公開する際には支援者の氏名を仮名表記することによって、一の政治家を支援している支援者が、他の政治家の後援会によって一意に特定されることを困難にすることができ、支援者による後援活動に支障を来すことを防止することができる。また、仮名表記によって支援者の氏名を公開するため、支援者には十分な満足感を与えることができる。一方、後援会通信装置側には、漢字表記された支援者リストが表示されるように構成されているため、後援会管理者は、支援者を認識し易く、支援者管理が容易になる。このように、後援活動及び支援者管理の双方をバランス良く実現することが可能になる。なお、変形例３では、仮名表記された氏名を公開する例を説明したが、アルファベット等の非漢字表記された氏名を公開するように構成しても良い。
【０１１４】
また、不適切な支援者を強制的に退会させることができる。また、支援者が入会した場合、支援者の氏名を即時に支援者名簿に掲載するのでは無く、後援会管理者によって確認を得た後に公開されるため、氏名公開による問題を未然に防止することができる。
【０１１５】
なお、本実施の形態では、支援者に提供するサービス及び資金管理団体会費の額を固定してあるが、所望のサービスを支援者が適宜選択し、選択されたサービスの量に応じて資金管理団体会費の額を増減させるように構成しても良い。つまり、会費処理装置が、複数の政治関連サービスの中から支援者によって選択された所望の政治関連サービスを示す情報を通信網を介して受信する手段と、受信した政治関連サービスの量の多／寡に応じて、資金管理団体会費の額を高額／低額に設定する手段とを備えるように構成すると良い。このように構成した場合、支援者が真に所望するサービスを提供することができ、サービスの選択によって、資金管理団体会費の額を簡易に増減させることができる。
また、本実施の形態では、主に政治献金の決済用途に本発明を適用した実施例を説明したが、政治献金以外の献金を決済する用途に対して本発明を適用しても良い。
更に、今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【０１１６】
上述した実施形態に関し、更に以下の付記を開示する。
（付記１）
資金管理団体の会費の徴収に用いられる複数の支援者通信装置と、前記会費の決済処理を行う決済処理装置と、通信網を介して該支援者通信装置及び決済処理装置に接続され、政治に関連する政治関連サービスを提供すると共に、前記会費に係る処理を実行する会費処理装置とを備えた決済処理システムであって、
前記支援者通信装置は、
資金管理団体に入会するための入会情報を送信する送信手段を備え、
前記会費処理装置は、
前記支援者通信装置から送信された入会情報を受信する受信手段と、
該受信手段が入会情報を受信した場合、前記会費及び政治関連サービスの対価を含む料金の決済を前記決済処理装置に依頼する決済依頼手段と、
資金管理団体に入会した支援者の支援者通信装置へ、政治関連サービスを提供する手段と
を備えることを特徴とする決済処理システム。
【０１１７】
（付記２）
前記入会情報は、
料金が異なる複数の政治関連サービスのいずれか一つを示すサービス指定情報と、資金管理団体に入会する支援者の氏名を示す氏名情報とを含み、
前記会費処理装置は、
前記入会情報に含まれた前記氏名情報が示す支援者の氏名を、前記サービス指定情報に応じた態様で一覧表示するための支援者一覧情報を送信する支援者一覧情報送信手段を備える
ことを特徴とする付記１に記載の決済処理システム。
【０１１８】
（付記３）
前記支援者一覧情報送信手段は、
前記サービス指定情報によって指定された政治関連サービスの料金の高／低に応じて、前記氏名を大きく／小さく一覧表示するための支援者一覧情報を送信するようにしてある
ことを特徴とする付記２に記載の決済処理システム。
【０１１９】
（付記４）
前記支援者一覧情報送信手段は、
前記入会情報に含まれた前記氏名情報が示す支援者の氏名を、非漢字表記で一覧表示するための支援者一覧情報を送信するようにしてあり、
前記会費処理装置は、
更に、前記入会情報に含まれた前記氏名情報が示す支援者の氏名を、漢字表記で一覧表示するための支援者一覧情報を、通信網に接続された後援会通信装置へ送信する手段を備える
ことを特徴とする付記３に記載の決済処理システム。
【０１２０】
（付記５）
資金管理団体の会費の徴収に用いられる複数の支援者通信装置と、前記会費の決済処理を行う決済処理装置と、通信網を介して該支援者通信装置及び決済処理装置に接続され、所定サービスを提供すると共に、前記会費に係る処理を実行する会費処理装置とを備えた決済処理システムであって、
前記支援者通信装置は、
資金管理団体に入会するための入会情報を送信する送信手段を備え、
前記会費処理装置は、
前記支援者通信装置から送信された入会情報を受信する受信手段と、
該受信手段が入会情報を受信した場合、前記会費及び所定サービスの対価を含む料金の決済を前記決済処理装置に依頼する決済依頼手段と、
資金管理団体に入会した支援者の支援者通信装置へ、所定サービスを提供する手段と
を備えることを特徴とする決済処理システム。
【０１２１】
（付記８）
資金管理団体の会費の徴収に用いられる複数の支援者通信装置、及び前記会費の決済処理を行う決済処理装置に通信網を介して接続され、所定サービスを提供すると共に、前記会費に係る処理を実行する会費処理装置であって、
資金管理団体に入会するための入会情報を前記支援者通信装置から通信網を介して受信する受信手段と、
該受信手段が入会情報を受信した場合、前記会費及び所定サービスの対価を含む料金の決済を前記決済処理装置に依頼する決済依頼手段と、
資金管理団体に入会した支援者の支援者通信装置へ、所定サービスを提供する手段と
を備えることを特徴とする会費処理装置。
【０１２２】
（付記７）
資金管理団体の会費の徴収に用いられる複数の支援者通信装置、及び前記会費の決済処理を行う決済処理装置に通信網を介して接続された会費処理装置を用いて、所定サービスを提供すると共に、前記会費に係る処理を実行する会費処理方法において、
前記会費処理装置は、
資金管理団体に入会するための入会情報を前記支援者通信装置から通信網を介して受信し、
前記会費及び所定サービスの対価を含む料金の決済を前記決済処理装置に依頼し、
資金管理団体に入会した支援者の支援者通信装置へ、所定サービスを提供する
ことを特徴とする会費処理方法。
【符号の説明】
【０１２３】
１  会費処理装置
２  支援者通信装置
３  決済処理装置
４  政治家サイト提供装置
５  入会処理装置
６  資金管理団体
２１  制御部
２５  通信部
３１  制御部
３４  決済情報ＤＢ
３５  通信部
４１  制御部
４４  政治関連サービスＤＢ
４５  通信部
５１  制御部
５４  支援者ＤＢ
５５  通信部
Ｎ  通信網
【図１】
2010218582.tif 000003
【図２】
2010218582.tif 000004
【図３】
2010218582.tif 000005
【図４】
2010218582.tif 000006
【図５】
2010218582.tif 000007
【図６】
2010218582.tif 000008
【図７】
2010218582.tif 000009
【図８】
2010218582.tif 000010
【図９】
2010218582.tif 000011
【図１０】
2010218582.tif 000012
【図１１】
2010218582.tif 000013
【図１２】
2010218582.tif 000014
【図１３】
2010218582.tif 000015
【図１４】
2010218582.tif 000016
【図１５】
2010218582.tif 000017
【図１６】
2010218582.tif 000018
【図１７】
2010218582.tif 000019
【図１８】
2010218582.tif 000020
【図１９】
2010218582.tif 000021
【図２０】
2010218582.tif 000022
【図２１】
2010218582.tif 000023
【図２２】
2010218582.tif 000024
【図２３】
2010218582.tif 000025
【図２４】
2010218582.tif 000026
【図２５】
2010218582.tif 000027
【図２６】
2010218582.tif 000028
【図２７】
2010218582.tif 000029